(57)【特許請求の範囲】
【請求項１】
画像形成装置から搬出された画像形成済みのシートを後処理したのち、排出手段により排紙トレイ手段に排出するシート後処理装置において、
前記排紙トレイ手段は、
前記排出手段により排出されたシートを積載する可動排紙皿部材と、
前記可動排紙皿部材を支持する固定排紙部材と、
前記固定排紙部材と可動排紙皿部材の間に介挿され前記可動排紙皿部材の前記排出手段に近接する端部を上方に付勢するバネ部材と、から構成され、
前記可動排紙皿部材は、
前記シートを積載可能であり、大サイズのシートの排出方向長さより短いシート積載面と、前記排出手段に近接する端部に前記シートの端面を当接させるストッパ面部とを有し、前記固定排紙部材の先端部に設けた支軸を中心にして揺動可能に支持され、前記排出手段に近接する端部を昇降可能にし、前記固定排紙部材は、シート搬送方向に直交する幅方向の両側付近の先端部付近に、前記可動排紙皿部材のシート積載面より高く突出した突起部を形成したことを特徴とするシート後処理装置。
【請求項２】
前記可動排紙皿部材のシート積載面は、前記ストッパ面部が先端部より低い傾斜面をなすことを特徴とする請求項１に記載のシート後処理装置。
【請求項３】
前記排紙トレイ手段は、
前記シートの排出方向と直交する幅方向の端部付近にシート積載面を有する固定排紙部材と、
前記シートの排出方向と直交する幅方向の中央付近にシート積載面を有する可動排紙皿部材と、を有することを特徴とする請求項１又は２に記載のシート後処理装置。
【請求項４】
前記排紙トレイ手段は、昇降用の駆動モ−タにより駆動される昇降駆動手段に昇降移動可能に固定されていることを特徴とする請求項１ないし３の何れか１項に記載のシート後処理装置。
【発明の詳細な説明】
【０００１】
【発明の属する技術分野】
本発明は、電子写真複写機やプリンタや印刷機等の画像形成装置により画像を形成されたシートを受け入れ、ステイプラによる綴じ合わせ処理や、シフト処理等の後処理等を行った後、排出手段により排紙トレイ上に排出するシート後処理装置に関する。
【０００２】
【従来の技術】
画像形成装置より排紙される画像記録済の複数枚のシートを、コピー１部ごとに丁合してステイプラにより綴じ合わせる装置としてフィニッシャと呼ばれるシート後処理装置が利用される。
【０００３】
このフィニッシャは、複写機やプリンタ等の画像形成装置本体と機能が接続されていて、コピー又はプリントプロセスのシーケンス作動に対応して駆動するようになっている。
【０００４】
従って画像形成プロセスを高速で大量処理することの可能な画像形成装置に対しては、その処理速度に追従して機能を果すことの出来る大量高速処理の可能なフィニッシャが必要とされる。
【０００５】
このような高速処理の可能なフィニッシャに関しては、すでに特開昭６０−１４２３５９号、同６０−１５８４６３号、同６２−２３９１６９号更に特開昭６２−２８８００２号、同６３−２６７６６７号、特開平２−２７６６９１号、特公平５−４１９９１号の各公報による提案が開示されている。
【０００６】
画像形成装置本体から搬出された画像記録済みのシートは、中間スタッカ内に整合されながら順次積載されて１セット分のシート束収納後に、ステイプラ等のシート後処理が行われ、綴じ合わせられたシート束は、前記中間スタッカの底部に設けられた排出ベルトに載せて搬送され、更に上下一対の排紙ローラによって挟持されて排紙トレイ上に排出される。
【０００７】
特開平８−４２７２８号公報に記載の記録紙後処理装置は、１個のステイプラと、これに対応する一つの排紙トレイを備えたものである。また、特開平７−７６１９０号公報に記載のシート後処理装置は、２個のステイプラと、これに対応する二つの排紙トレイを備えたものである。
【０００８】
【発明が解決しようとする課題】
従来のシート後処理装置においては、画像形成装置から搬出された画像形成済みのシートは、シート後処理手段（ステイプラ、シフト手段、製本手段、穴明け手段等）により後処理されたのち、排出手段により排紙トレイ上に排出されて、傾斜配置された排紙トレイ面に沿って下降し、シート後端部がストッパに当接して停止する。また、後処理を要しないシートは固設された排紙トレイに直接排出されて傾斜配置された排紙トレイ面に沿って下降し、シート後端部がストッパ面に当接して停止する。
【０００９】
以下、従来のシート後処理装置における課題を列挙する。
【００１０】
（１）シート後処理装置による後処理済みのシートを積載する排紙トレイ手段に排出されて積載されるシートの枚数が増大するに従って、積載されたシートの高さが高くなるため、排出路を塞ぐことがないように、シート高さ検知手段を設けて、シート積載面の高さが一定となるように、排紙トレイ手段を下降制御させている。このため、制御や機構が複雑になる。
【００１１】
（２）後処理済みのシートが排出手段により排出されて、先端部を高くした傾斜面を有する排紙トレイ手段のシート載置面上に積載されるとき、大サイズのシートの先端部は、排紙トレイ手段の先端部から突出して垂れ下がり、さらに後続の排出シートにより摺接されて押し出され、排紙トレイ手段のシート載置面から落下するおそれがある。このシート落下を防止するため、シート載置面を充分大きくすると、シート後処理装置が大型化し、設置スペースが増大するという問題が生じる。
【００１２】
（３）後処理を行わないシートをシート後処理装置の排紙トレイ手段（ノンソートトレイ）のシート載置面上に積載する場合にも、同様にシート先端部の垂れ下がりによるシート落下の問題と、その下部にある昇降排紙トレイに、垂れ下がったシート先端部が接触するという問題がある。
【００１３】
本発明の目的は、上記の課題を解決して、▲１▼排紙トレイ手段の可動皿上に積載されるシートの後端部をシートの自重で円滑に下降させて、シート排紙不良を防止するとともに、制御機構を簡易化する、▲２▼シート載置面上に積載される大サイズのシートの先端部の垂れ下がりがなく小型化した排紙トレイ手段を提供する、▲３▼後処理を行わない大サイズのシートを小型化したノンソートトレイ上に積載可能にする、シート後処理装置を提供することを目的とするものである。
【００１４】
【課題を解決するための手段】
上記目的を達成する本発明のシート後処理装置は、（１）画像形成装置から搬出された画像形成済みのシートを後処理したのち、排出手段により排紙トレイ手段に排出するシート後処理装置において、前記排紙トレイ手段は、前記排出手段により排出されたシートを積載する可動排紙皿部材と、前記可動排紙皿部材を支持する固定排紙部材と、前記固定排紙部材と可動排紙皿部材の間に介挿され前記可動排紙皿部材の前記排出手段に近接する端部を上方に付勢するバネ部材と、から構成され、前記可動排紙皿部材は、前記シートを積載可能であり、大サイズのシートの排出方向長さより短いシート積載面と、前記排出手段に近接する端部に前記シートの端面を当接させるストッパ面部とを有し、前記固定排紙部材の先端部に設けた支軸を中心にして揺動可能に支持され、前記排出手段に近接する端部を昇降可能にし、前記固定排紙部材は、シート搬送方向に直交する幅方向の両側付近の先端部付近に、前記可動排紙皿部材のシート積載面より高く突出した突起部を形成したことを特徴とするものである。（請求項１）
また、（２）前記可動排紙皿部材のシート積載面は、前記ストッパ面部が先端部より低い傾斜面をなす前記（１）のシート後処理装置であることが好ましい。（請求項２）
また、（３）前記排紙トレイ手段は、前記シートの排出方向と直交する幅方向の端部付近にシート積載面を有する固定排紙部材と、前記シートの排出方向と直交する幅方向の中央付近にシート積載面を有する可動排紙皿部材と、を有する前記（１）又は（２）のシート後処理装置であることが好ましい。（請求項３）
また、（４）前記排紙トレイ手段は、昇降用の駆動モ−タにより駆動される昇降駆動手段に昇降移動可能に固定されていることを特徴とする前記（１）ないし前記（３）の何れかに記載のシート後処理装置であることが好ましい。（請求項４）
【００１５】
【発明の実施の形態】
次に、本発明のシート後処理装置の実施の形態を添付図面に基づいて説明する。
【００１６】
図１は前記シート後処理装置（フィニッシャ）の構成を示す断面図である。
【００１７】
該シート後処理装置はシートＰの受け入れ部が画像形成装置（複写機、プリンタ等）本体の排紙口と合致するよう位置と高さを調節して設置され、画像形成装置本体の作動に対応して駆動されるよう制御系に接続される。
【００１８】
前記受け入れ部に導入されたシートＰは、切り替えゲート（分岐板）１の揺動切り替えによって、上方の搬送路ａと下方の搬送路ｂとに切り替えられる。
【００１９】
画像形成装置本体から排出されたシートＰは、前記受け入れ部の切り替えゲート１の切り替えにより上方の搬送路ａを通過して、排出ローラ対２に挟持されて、シート後処理装置の最上段に固定配置された排紙トレイ１０に排出される。
【００２０】
一方、前記受け入れ部の切り替えゲート１（図示破線）の切り替えにより下方の搬送路ｂを通過したシートＰは、駆動ローラとピンチローラとから成る中間搬送ローラ対３に挟持されて搬送され、固定ガイド板から成る搬送路ｃを通過して、シート反転搬送ドラム４の上方の搬送ローラ対５に挟持されてシート反転搬送ドラム４の周面上に搬送される。シート反転搬送ドラム４は図示しない駆動源により矢示方向に駆動回転する。シート反転搬送ドラム４の周面付近には、シート押さえ部材（グリッパ）６が揺動可能に支持されている。シート押さえ部材６はバネ付勢され図示しないカム機構により揺動される。
【００２１】
搬送ローラ対５のニップ位置からシート反転搬送ドラム４の周面に送り出されたシートＰの先端部は、前記カム機構により開口状態となったシート押さえ部材６の先端部とシート反転搬送ドラム４の周面との間のＶ字状の間隙部に入り込み、更に回転するシート反転搬送ドラム４の周面と、バネ付勢されたシート押さえ部材６の先端部に圧接、挟持されてシート反転搬送ドラム４の周面上を搬送される。なお、このシート搬送時には、搬送ローラ対５とシート反転搬送ドラム４の周速は等しい。
【００２２】
図２〜図４はシート後処理装置のシート搬送過程を示す部分断面図である。
【００２３】
図２（ａ）において、シートＰの先端部が、回転するシート反転搬送ドラム４の周面上で前記バネ付勢されたシート押さえ部材６の先端部に圧接、挟持されて搬送する過程中に、搬送ローラ対５が増速されると、シートＰの先端部はシート押さえ部材６に挟持されているが、シートＰの後端部付近は搬送ローラ対５により増速されてシートＰを余分に送り出して、シートＰの中間部はシート反転搬送ドラム４の周面より離間して外方に膨れ上がった形になる。
【００２４】
図２（ｂ）において、シート反転搬送ドラム４が更に回転を継続してゆくと、シートＰの後端部が搬送ローラ対５のニップ位置から離脱した瞬間に、搬送ローラ対５の搬送力とシートＰの剛性により反転して、シート反転搬送ドラム４の周面から離間する。シートＰの先端部がストッパ７に到達して突き当たり停止すると、シート押さえ部材６はシートＰから離間する。
【００２５】
シート反転搬送ドラム４が更に回転を継続してゆくと、図３（ａ）に示すように、シート反転搬送ドラム４内の２箇所に回転自在に支持された２個のシート揃え部材８Ａ，８Ｂが相次いでシートＰの先端部付近を摺擦して、シートＰの先端部をストッパ７に当接させて停止させ、シートＰの搬送方向の紙揃えをする。紙揃えされたシートＰの先端部は中間排紙皿９Ａ上に、後端部は排紙トレイ手段２０の可動排紙皿２１及び固定排紙皿２２上に載置される。
【００２６】
シートＰの先端部がストッパ７に当接させる図３（ｂ）に示す過程において、シフト整合手段９Ｂの整合板がシートＰの幅方向（シート搬送方向と直交する方向）の紙揃え（幅整合）を行う。或いは、シフトモードに設定されているときには、前記整合板を所定の複数位置に交互にシフトさせて、前記幅整合を行う。シート反転搬送ドラム４が１回転して１枚目のシートＰの位置決めが終了したのち、２枚目のシートＰがシート反転搬送ドラム４に送り込まれ、前述と同様な搬送が行われて、位置決めされ、停止する。このようにしてストッパ７に当接されて位置決めされたシートＰが所定枚数に達したとき、ステイプラＳＴによりシートＰの所定位置にステイプルが打ち込まれ綴じ合わせられる。或いは、シフトモードに設定されているときには、前記整合板によるシフト動作を行う。
【００２７】
図４（ａ）は、ステイプル処理、又はシフト処理等のシート後処理を終了したシートＰを可動排紙皿部材（以下、可動排紙皿と称す）２１及び固定排紙部材（以下、固定排紙皿と称す）２２上に排出する状態を示す。
【００２８】
排出手段１１の駆動モータＭ１は、歯車Ｇ１，Ｇ２，Ｇ３，Ｇ４から成る歯車列を介して円板１２を駆動回転させる。円板１２の偏心位置に一端が支持されたクランク１３の他端は、支点軸１５を中心にして揺動可能な排出アーム１４の一部に回転自在に枢支されている。駆動源により駆動回転する円板１２は、クランク１３を偏心運動させ、更に排出アーム１４を揺動させる。この排出アーム１４の揺動運動によって、排出アーム１４の先端部１４Ａが、シート後処理を終了したシートＰの先端部を押圧し、ストッパ７に当接した位置から排紙トレイ手段２０の可動排紙皿２１及び固定排紙皿２２に向けて押し出す。排出アーム１４によって押し出されたシートＰは、可動排紙皿２１及び固定排紙皿２２の上面を滑走したのち、シートＰの先端部が自重により下降し、可動排紙皿２１のストッパ面部２１Ｂに当接して停止する。排出アーム１４の先端部１４Ａは、可動排紙皿２１のストッパ面部２１Ｂの垂直上方付近まで前進するから、シート束は後処理部に残らず排紙トレイ手段２０のシート積載面２１Ａ上に確実に移行される。
【００２９】
図５は排紙トレイ手段の斜視図、図６は排紙トレイ手段の断面図である。なお、上段の排紙トレイ手段２０と、下段の排紙トレイ手段３０とは、同一形状をなすから、以下、上段の排紙トレイ手段２０を代表して説明する。
【００３０】
排紙トレイ手段２０は、固定排紙皿２２と、可動排紙皿２１と、可動排紙皿２１の一端を固定排紙皿２２に揺動可能に支持する支軸２３と、可動排紙皿２１の他端を上方に付勢するバネ部材２４とから構成されている。
【００３１】
固定排紙皿２２のシート積載面２２Ａは、積載されるシートの先端部が高く、後端部が低い傾斜面に形成されている。この傾斜面の低部側には湾曲した補助ストッパ面部２２Ｂが一体に形成されている。
【００３２】
固定排紙皿２２の先端部両端付近、即ち、シートの先端部付近が載置される載置面のシート排出方向と直交する幅方向の両端付近には、幅方向中央付近より高い突起部２２Ｃが形成されている。
【００３３】
固定排紙皿２２は、突起状の係止部２２Ｄ及び凹溝状の係止部２２Ｅにより、シート後処理装置本体の昇降手段に係止、固定され、昇降駆動される。
【００３４】
可動排紙皿２１のシート積載面２１Ａは、固定排紙皿２２の両側のシート積載面２２Ａの中間にあり、シート面に摺接する複数本の突起条（リブ）２１Ｃと、シート取り出し用の凹部２１Ｄとを有する。
【００３５】
可動排紙皿２１のシート積載面２１Ａに接続する端面側、即ち、積載されるシートの後端部が位置する側には、ストッパ面部２１Ｂの基部がシート積載面２１Ａの端部と接続し、一体をなしている。このストッパ面部２１Ｂは、支軸２３の中心線を中心軸とする半径Ｒの円筒面に形成されている。２１Ｅは可動排紙皿２１のストッパ面部２１Ｂの下方に設けた上限ストッパであり、固定排紙皿２２の補助ストッパ面部２２Ｂの近傍に穿設された係止面２２Ｆに当接して、可動排紙皿２１を上限位置に停止させる。
【００３６】
排出手段１１により機外に排出されたシートは、シート積載面２１Ａ上に放出されたのち、シートの自重でシート積載面２１Ａ上を滑落して、シートの後端部はストッパ面部２１Ｂに向かって進行する。
【００３７】
バネ部材２４の上端は、可動排紙皿２１の底部に位置決めされ係止部材２５により固定されている。バネ部材２４の下端は、固定排紙皿２２の底部に設けた凹部２２Ｇに遊嵌して位置決めされる。
【００３８】
図７は排紙トレイ手段の側面図である。可動排紙皿２１のシート積載面２１Ａと、固定排紙皿２２のシート積載面２２Ａとにわたって載置された大サイズのシートＰのシート排出方向と直交する方向の両端部は、固定排紙皿２２の両側に突出した突起部２２Ｃにより上方に湾曲される。このように先端部付近が排出方向と直交する方向に湾曲されたシートＰは、可動排紙皿２１及び固定排紙皿２２の先端部よりさらに前方に突出しても、シートＰの先端部は垂れ下がることはない。従って、可動排紙皿２１及び固定排紙皿２２の各シート積載面を、大サイズのシートＰの排出方向長さより短くすることが可能であり、シート後処理装置本体から突出して昇降する排紙トレイ手段の小型化が達成される。
【００３９】
図８は排紙トレイ手段の部分平面図である。可動排紙皿２１のストッパ面部２１Ｂは、固定排紙皿２２の補助ストッパ面部２２Ｂより突出している。その突出した段差ｈは、約１ｍｍである。補助ストッパ面部２２Ｂは、支軸２３の中心線を中心軸とする半径（Ｒ＋ｈ）の円筒面に形成されている。
【００４０】
排紙トレイ手段に排出されて可動排紙皿２１及び固定排紙皿２２上を滑落するシートＰは、その先端部が可動排紙皿２１のストッパ面部２１Ｂに当接して停止し、先端揃えされる。
【００４１】
図９は排紙トレイ手段２０の可動排紙皿２１が下降した状態を示す断面図である。排紙トレイ手段２０に多数枚のシートＰが積載され所定の重量以上になると、シートＰの自重により、バネ部材２４の付勢力に抗して、可動排紙皿２１が下降してゆく。可動排紙皿２１のストッパ頂部２１Ｈは、最初は図６に示すように、固定排紙皿２２の補助ストッパ頂部２２Ｈとほぼ一致または僅か高い位置にあり、積載されるシートＰの後端部が可動排紙皿２１のストッパ面部２１Ｂに当接して停止する。可動排紙皿２１にシートＰが積載されて下降するときにも、シートＰの先端部はストッパ面部２１Ｂに当接して停止し、先端揃えされる。上記のシート積載過程で、シートＰの先端部は、昇降可能な可動排紙皿２１のストッパ面部２１Ｂに当接して先端揃えされるから、シートＰの先端部には摩擦抵抗が付加されず、可動排紙皿２１は円滑に下降する。
【００４２】
シートＰがさらにシート積載面２１Ａに積載されて、ストッパ頂部２１Ｈを越えると、シートＰの先端部は、固定排紙皿２２の補助ストッパ面部２２Ｂに当接して停止する。
【００４３】
前記上段の排紙トレイ手段２０の可動排紙皿２１上に積載された後処理済みのシートＰが一杯（積載量の上限）になったことをセンサが検知して信号を発生すると、図示しない制御部が昇降駆動手段４０のトレイ昇降用の駆動モータＭ２を駆動して、上段の排紙トレイ手段２０を上昇させる。即ち、駆動モータＭ２の駆動により、歯車Ｇ５，Ｇ６，Ｇ７，Ｇ８，Ｇ９，Ｇ１０から成る歯車列は、駆動プーリ４１を駆動回転する。該駆動プーリ４１と上方の従動プーリ４２との間には、駆動ワイヤ４３が巻回されている。駆動プーリ４１の駆動回転により、駆動ワイヤ４３は垂直方向に往復動する。
【００４４】
前記駆動ワイヤ４３の一部には、前記上段の排紙トレイ手段２０の枠体の基部が排紙トレイ吊金具により固定されている。上段の排紙トレイ手段２０の枠体２６と下段の排紙トレイ手段３０の枠体３６とは、連結桿４５により連結されている。即ち、連結桿４５には長溝部４５１が穿設されていて、上段の排紙トレイ手段２０の枠体２６に固設されたピン４６が摺接する（図１参照）。また、連結捍４５の下端部付近は、下段の排紙トレイ手段３０の枠体３６に固定されている。
【００４５】
前記上段の排紙トレイ手段２０が駆動ワイヤ４３により上方に移動されると、上段の排紙トレイ手段２０の枠体３６に固設されたピン４６（図１参照）が連結捍４５の長溝部４５１に摺接して、上段の排紙トレイ手段２０のみが上方に移動される。ピン４６が連結桿４５の長溝部４５１の最上端に当接すると、移動した上段の排紙トレイ手段２０と停止している下段の排紙トレイ手段３０とは、最大離間間隔となる。
【００４６】
上段の排紙トレイ手段２０が駆動ワイヤ４３により更に上方に移動されると、上段の排紙トレイ手段２０のピン４６が、長溝部４５１に当接した状態で連結捍４５を上方に移動させるから、連結桿４５の下端に固定された下段の排紙トレイ手段３０を持ち上げて移動させる。従って、上段の排紙トレイ手段２０と下段の排紙トレイ手段３０とは、前記最大離間間隔を保持して一体となって上方に移動する。
【００４７】
図１０は最上段の排紙トレイ１０の断面図、図１１（ａ）は排紙トレイ１０の平面図、図１１（ｂ）は排紙トレイ１０のＡ−Ａ断面図である。
【００４８】
最上段の排紙トレイ１０はシート後処理装置の天板を兼ねていて、ステイプル処理等の後処理を行わないシートを直接積載収容する。
【００４９】
排紙トレイ１０は、傾斜面状のシート積載面１０Ａ、ほぼ垂直のストッパ面部１０Ｂ、シート積載面１０Ａ上に形成された複数本の突起条（リブ）１０Ｃを有する。シート積載面１０Ａのシート排出方向先端部で、シート排出方向と直交する方向には、突起部１０Ｄが突起条１０Ｃより高く突出している。
【００５０】
排紙トレイ１０の排出されたシートＰの先端部は、図１１（ｂ）に示すように、上方に湾曲してシート積載面１０Ａ上に積載される。このように先端部付近が排出方向と直交する方向に湾曲されたシートＰは、排紙トレイ１０のシート積載面１０Ａよりさらに前方に突出してオーバーハングしても、シートＰの先端部は垂れ下がることはない。従って、排紙トレイ１０のシート積載面１０Ａを、大サイズのシートＰの排出方向長さより短くすることが可能であり、図１に示すように、昇降する上段の排紙トレイ手段２０が最高位置に上昇したときにも、最上段の排紙トレイ１０と上段の排紙トレイ手段２０との垂直方向の重なりが少ないから、上段の排紙トレイ手段２０から後処理済みのシートＰを容易に取り出す事ができる。
【００５１】
なお、本発明の実施の形態では、複写機に接続したシート後処理装置を示したが、プリンタ、ファクシミリ等の画像形成装置や軽印刷機等と接続して使用するシート後処理装置にも適用可能である。
【００５２】
【発明の効果】
本発明のシート後処理装置により、以下の優れた効果が得られる。
【００５３】
シート積載時に、シート後端部と固定排紙皿のストッパ面部とが摺接しないから、可動排紙皿が円滑に下降し、シート後端部の競り上がりによる後続のシートの先端部との衝突が回避され、排出不良が防止されると共に、固定排紙皿の両端に突起部を設けて、シート先端部を湾曲させることにより、シート載置面の小さい小型の排紙トレイに大サイズのシートを積載する事が可能になる。
また、シート積載面上に放出されたシートは、自重で滑落して、シートの後端部がストッパ面部に当接して、自動的に先端揃えされる。
また、トレイに排出されたシ−トの先端部が垂れ下がることがなくなり、最上段の排紙トレイと上段の排紙トレイ手段との垂直方向の重なりが少なくても、上段の排紙トレイ手段から後処理済みのシートを容易に取り出す事ができる。
また、上段の排紙トレイ手段上に積載された後処理済みのシートが積載量の上限になると、上段の排紙トレイ手段を上昇させ、下段の排紙トレイ手段にシートを排出できるようにしたので、大量のシートを円滑に排紙でき、積載できるようになる。
【図面の簡単な説明】
【図１】本発明のシート後処理装置の構成を示す断面図。
【図２】シート後処理装置のシート搬送過程を示す部分断面図。
【図３】シート後処理装置のシート搬送過程を示す部分断面図。
【図４】シート後処理装置のシート搬送過程を示す部分断面図。
【図５】排紙トレイ手段の斜視図。
【図６】排紙トレイ手段の断面図。
【図７】排紙トレイ手段の側面図。
【図８】排紙トレイ手段の部分平面図。
【図９】排紙トレイ手段の可動排紙皿が下降した状態を示す断面図。
【図１０】最上段の排紙トレイの断面図。
【図１１】最上段の排紙トレイの平面図及びＡ−Ａ断面図。
【符号の説明】
１０  最上段の排紙トレイ
１０Ａ，２１Ａ，２２Ａ  シート積載面
１０Ｂ，２１Ｂ  ストッパ面部
１０Ｄ，２２Ｃ  突起部
１１  排出手段
１４  排出アーム（排出部材）
２０  上段の排紙トレイ手段
２１  可動排紙皿部材（可動排紙皿）
２１Ｈ  ストッパ頂部
２２  固定排紙部材（固定排紙皿）
２２Ｂ  補助ストッパ面部
２２Ｈ  補助ストッパ頂部
２３  支軸
２４  バネ部材
３０  下段の排紙トレイ手段
４０  昇降駆動手段
Ｍ１，Ｍ２  駆動モータ
【図１】
0003765159.tif 000002
【図２】
0003765159.tif 000003
【図３】
0003765159.tif 000004
【図４】
0003765159.tif 000005
【図５】
0003765159.tif 000006
【図６】
0003765159.tif 000007
【図７】
0003765159.tif 000008
【図８】
0003765159.tif 000009
【図９】
0003765159.tif 000010
【図１０】
0003765159.tif 000011
【図１１】
0003765159.tif 000012